(57)【要約】【課題】球根包装体への表示札の取り付け作業を行う作業者の負担軽減を図りつつ、その取り付け作業を容易化する。【解決手段】球根包装体１０は、球根１１が入れられている袋部１５と、袋部１５を閉鎖するためのフラップ部１６とを有している。袋部１５において第１シート部２１と第２シート部２２とは、内部空間１８及び開口部１９を挟んで向かい合っている。フラップ部１６は第２シート部２２の開放端から袋部１５の開放側に向けて延出しており、その自由端側が第１シート部２１の外側面の第１粘着部３１に貼付されることにより開口部１９を閉鎖している。第２シート部２２の外側面には第２粘着部４５が設けられており、第２粘着部４５には表示札４０が接着されている。この場合、袋部１５の外周面において第１粘着部３１とは開口部１９を挟んで反対側に表示札４０が貼付されていることになる。【選択図】図１
2012116545.tif 000002
【特許請求の範囲】
【請求項１】
開口部を通じて内部空間に球根が入れられる袋部と、
前記袋部に設けられ、前記開口部から延出しているフラップ部と、
を備え、
前記フラップ部は、該フラップ部の自由端側が前記袋部の外周面における前記フラップ部の基端側とは前記開口部を挟んで反対側に重ねられることにより、前記開口部を閉鎖するものであり、
前記閉鎖状態にする場合に前記フラップ部の自由端側を前記袋部の外周面に貼付する第１粘着部が、前記フラップ部の自由端側及び前記袋部の外周面の少なくとも一方に設けられており、
前記袋部の外周面において前記フラップ部の先端側が貼付される部分とは前記開口部を挟んで反対側に、第２粘着部が設けられており、
前記球根に関する球根情報を表示する表示札が、前記球根情報が表示された表示面を前記袋部とは反対側に向けた状態で前記第２粘着部により前記袋部に貼付されていることを特徴とする表示札付き球根包装体。
【請求項２】
前記第１粘着部と前記第２粘着部とが前記袋部を挟んで重なる位置に配置されていることを特徴とする請求項１に記載の表示札付き球根包装体。
【請求項３】
前記表示札には、前記袋部及び前記フラップ部に重ならない位置に、表裏方向に貫通する貫通孔が形成されている請求項１又は２に記載の表示札付き球根包装体。
【請求項４】
開口部を通じて内部空間に球根が入れられる袋部と、
前記袋部に設けられ、前記開口部から延出しているフラップ部と、
を備え、
前記フラップ部は、該フラップ部の自由端側が前記袋部の外周面における前記フラップ部の基端側とは前記開口部を挟んで反対側に重ねられることにより、前記開口部を閉鎖するものであり、
前記閉鎖状態にする場合に前記フラップ部の自由端側を前記袋部の外周面に貼付する第１粘着部が、前記フラップ部の自由端側及び前記袋部の外周面の少なくとも一方に設けられており、
前記球根に関する球根情報を表示する表示札を前記袋部に貼付するための第２粘着部が、前記袋部の外周面において前記フラップ部の先端側が貼付される部分とは前記開口部を挟んで反対側に設けられていることを特徴とする球根包装体。
【発明の詳細な説明】
【技術分野】
【０００１】
本発明は、表示札付き球根包装体及び球根包装体に関するものである。
【背景技術】
【０００２】
店舗等において植物の球根が商品として陳列されている場合、その球根は袋部に入れられていることが多い。例えば特許文献１には、球根を入れた袋部の開口部が袋内部に対して折り返され、その折り返し部分がステープラーの針（ステープル）により綴じられることで袋部の開口部が閉鎖されるという構成が記載されている。この構成においてステープルは、袋部の折り返し部分を綴じることにより袋部に対して支持板を固定している。具体的には、支持板には挟持部が設けられており、支持板と挟持部との間に袋部の折り返し部分が挟み込まれ、ステープルは支持板及び挟持部ごと袋部の折り返し部分を綴じている。また、この構成においては、支持板に代えて、球根の種類や値段といった球根情報を表示する表示札が袋部にステープラーを用いて取り付けられていることがある。
【先行技術文献】
【特許文献】
【０００３】
【特許文献１】特開平６−２３４６０１号公報
【発明の概要】
【発明が解決しようとする課題】
【０００４】
しかしながら、ステープルにより表示札が袋部に取り付けられている構成では、表示札の取り付け作業においてステープラー及びステープルを使用することになる。この場合、作業時にはステープラー及びステープルを準備する必要があり、多数の袋部を対象として表示札の取り付け作業を多数回行う場合には所定回数ごとにステープラーにステープルを補充する必要がある。これでは、表示札の取り付け作業を行う作業者の負担が大きくなってしまう。
【０００５】
本発明は、球根包装体への表示札の取り付け作業を行う作業者の負担軽減を図りつつ、その取り付け作業を容易化することを主たる目的とする。
【課題を解決するための手段】
【０００６】
上記課題を解決するために、第１の発明の表示札付き球根包装体は、開口部を通じて内部空間に球根が入れられる袋部と、前記袋部に設けられ、前記開口部から延出しているフラップ部と、を備え、前記フラップ部は、該フラップ部の自由端側が前記袋部の外周面における前記フラップ部の基端側とは前記開口部を挟んで反対側に重ねられることにより、前記開口部を閉鎖するものであり、前記閉鎖状態にする場合に前記フラップ部の自由端側を前記袋部の外周面に貼付する第１粘着部が、前記フラップ部の自由端側及び前記袋部の外周面の少なくとも一方に設けられており、前記袋部の外周面において前記フラップ部の先端側が貼付される部分とは前記開口部を挟んで反対側に、第２粘着部が設けられており、前記球根に関する球根情報を表示する表示札が、前記球根情報が表示された表示面を前記袋部とは反対側に向けた状態で前記第２粘着部により前記袋部に貼付されていることを特徴とする。
【０００７】
第１の発明によれば、表示札が球根包装体の袋部の外周面に第２粘着部を介して貼付されている。この場合、例えば表示札がステープルにより袋部に取り付けられている構成とは異なり、表示札の取り付けに際してステープラーやステープルを使用する必要がないため、ステープラーの準備やステープルの補充を行う手間を省くことができる。これにより、作業者の負担を低減できる。
【０００８】
しかも、第２粘着部は、袋部の外周面においてフラップ部の自由端側が貼付される部分とは開口部を挟んで反対側に設けられている。このため、フラップ部の自由端側を第１粘着部に貼付する作業と表示札を第２粘着部に貼付する作業とを独立して行うことができる。つまり、袋部の閉鎖作業と表示札の取り付け作業とを異なるタイミングで別々に行うことができる。したがって、これら作業を例えばステープラーにより同時に行わなければならない構成に比べて、作業の容易化を図ることができる。
【０００９】
以上の結果、球根包装体への表示札の取り付け作業を行う作業者の負担低減を図りつつ、その取り付け作業を容易化することができる。
【００１０】
第２の発明では、前記第１粘着部と前記第２粘着部とが前記袋部を挟んで重なる位置に配置されている。
【００１１】
第２の発明によれば、袋部の外周面に表示札が貼付される際に袋部において第２粘着部と表示札とを接着させるべく指等で押圧される部分が、第１粘着部とフラップ部とを接着させるべく指等で押圧される部分と重なった位置にある。したがって、フラップ部により閉鎖され且つ表示札が貼付された状態の袋部については、フラップ部と表示札とを袋部ごと指等で挟むように押圧することにより、袋部へのフラップ部及び表示札の両者の接着を確実なものとする作業を同時に行うことができる。これにより、袋部を閉鎖する作業及び袋部に表示札を取り付ける作業の効率を高めることができる。
【００１２】
第３の発明では、前記表示札には、前記袋部及び前記フラップ部に重ならない位置に、表裏方向に貫通する貫通孔が形成されている。
【００１３】
第３の発明によれば、商品陳列棚等の引掛具に貫通孔を引っ掛けることで球根包装体を陳列する場合、貫通孔が袋部やフラップ部によって塞がれていて貫通孔に引掛具を挿通することができない又は挿通しにくいという不都合を回避できる。したがって、球根包装体を陳列するための引っ掛け作業を容易化することができる。
【００１４】
第４の発明の球根包装体では、開口部を通じて内部空間に球根が入れられる袋部と、前記袋部に設けられ、前記開口部から延出しているフラップ部と、を備え、前記フラップ部は、該フラップ部の自由端側が前記袋部の外周面における前記フラップ部の基端側とは前記開口部を挟んで反対側に重ねられることにより、前記開口部を閉鎖するものであり、前記閉鎖状態にする場合に前記フラップ部の自由端側を前記袋部の外周面に貼付する第１粘着部が、前記フラップ部の自由端側及び前記袋部の外周面の少なくとも一方に設けられており、前記球根に関する球根情報を表示する表示札を前記袋部に貼付するための第２粘着部が、前記袋部の外周面において前記フラップ部の先端側が貼付される部分とは前記開口部を挟んで反対側に設けられていることを特徴とする。
【００１５】
第４の発明によれば、表示札が球根包装体の袋部の外周面に第２粘着部を介して貼付されている。この場合、例えば表示札をステープルにより袋部に取り付ける場合とは異なり、表示札の取り付けに際してステープラーやステープルを使用する必要がないため、ステープラーの準備やステープルの補充といった手間を省くことができる。これにより、作業者の負担を低減できる。
【００１６】
しかも、第２粘着部は、袋部の外周面においてフラップ部の自由端側が貼付される部分とは開口部を挟んで反対側に設けられている。このため、フラップ部の自由端側を第１粘着部に貼付する作業と表示札を第２粘着部に貼付する作業とを独立して行うことができる。つまり、袋部の閉鎖作業と表示札の取り付け作業とを異なるタイミングで別々に行うことができる。したがって、これら作業を例えばステープラーにより同時に行わなければならない構成に比べて、作業の容易化を図ることができる。
【００１７】
以上の結果、球根包装体への表示札の取り付け作業を行う作業者の負担低減を図りつつ、その取り付け作業を容易化することができる。
【００１８】
なお、袋部の第２粘着部には離型紙が貼付されていることが好ましい。この場合、第２粘着部に表示札が貼付される直前まで離型紙により第２粘着部を保護することが可能であるため、第２粘着部へのゴミ等の付着により第２粘着部の粘着力が低下するということを回避できる。
【図面の簡単な説明】
【００１９】
【図１】本実施形態における表示札付きの球根包装体の構成を示す斜視図。
【図２】表示札付きの球根包装体の構成を示す断面図。
【図３】球根を包装する際の作業手順について説明するための説明図。
【図４】別の球根包装体の構成を示す正面図。
【発明を実施するための形態】
【００２０】
以下、本発明を具体化した一実施形態について図面を参照しつつ説明する。図１は表示札４０付きの球根包装体１０の構成を示す斜視図、図２は表示札４０付きの球根包装体１０の構成を示す断面図である。なお、図１及び図２においては理解を容易なものとするために、球根包装体１０、粘着部３１，４５の厚さ寸法を実際より大きく図示している。
【００２１】
図１、図２に示すように、球根包装体１０により植物の球根１１が包装されている。球根包装体１０は、球根１１が入れられている袋部１５と、袋部１５を閉鎖するためのフラップ部１６とを有している。袋部１５及びフラップ部１６はそれぞれ合成樹脂製のシート材により一体的に形成されており、それぞれ透明性を有している。袋部１５には、その袋部１５の内部空間１８を一方に向けて開放する開口部１９が形成されており、球根１１は開口部１９を通じて内部空間１８に入れられている。
【００２２】
袋部１５は向かい合う一組のシート部２１，２２を有しており、シート部２１，２２の周縁部同士が連結されることにより袋状に形成されている。袋部１５においては、シート部２１，２２の間に開口部１９及び内部空間１８が確保されているとともに、シート部２１，２２の外側面により袋部１５の外周面が形成されている。シート部２１，２２はそれぞれ略矩形状に形成されており、それぞれの四辺のうち三辺が互いに接続され、非連結部とされた一辺の間に開口部１９が設けられている。以下、シート部２１を第１シート部２１と称し、シート部２２を第２シート部２２と称する。
【００２３】
フラップ部１６は第２シート部２２に設けられており、袋部１５の開口部１９を覆うことにより袋部１５を閉鎖している。具体的には、袋部１５の開口部１９においてフラップ部１６の一端が第２シート部２２の開放端に接続されており、フラップ部１６の自由端側を接着する第１粘着部３１が一組のシート部２１，２２のうち他方の第１シート部２１の外側面に設けられている。第１粘着部３１は、エマルジョン系接着剤やホットメルト接着剤などの接着剤が第１シート部２１に塗布されることにより形成された粘着層であり、第１シート部２１とフラップ部１６の自由端側とを接着している。
【００２４】
フラップ部１６は、第２シート部２２の開放端から袋部１５の開放側に向けて延出しており、第２シート部２２との境界部分において第２シート部２２に対して折り曲げられている。これにより、フラップ部１６の自由端側が第１シート部２１の外側面に重ねられ、フラップ部１６が開口部１９を跨いで第１シート部２１と第２シート部２２とに架け渡された状態となっている。また、フラップ部１６は開口部１９とほぼ同じ幅寸法とされている。この結果、袋部１５の開口部１９はフラップ部１６により閉鎖されている。
【００２５】
第１粘着部３１は第１シート部２１において開放端寄りに配置されている。また、フラップ部１６は延出方向において、第１シート部２１の外側面に向けて折り曲げられた状態でその自由端が第１粘着部３１に届く長さとされている。換言すれば、第１粘着部３１は第１シート部２１において、フラップ部１６が折り曲げられた状態でその自由端が届く位置に配置されている。第１粘着部３１は第１シート部２１の開放端に沿って延びており、その長さ寸法は開口部１９の幅寸法及びフラップ部１６の幅寸法とほぼ同じとされている。これにより、フラップ部１６は、自由端側の幅方向におけるほぼ全てが第１粘着部３１により第１シート部２１に対して固定されていることになる。
【００２６】
袋部１５には、内部空間１８の通気を可能とする通気孔３５が形成されている。通気孔３５は第１シート部２１及び第２シート部２２のそれぞれに複数設けられており、球根１１を出し入れできない大きさ及び形状とされている。
【００２７】
球根包装体１０には、球根１１の種類や色などの球根情報を写真や絵、文字により表示する表示札４０が取り付けられている。表示札４０は、四角板状の表示用板部４１と、表示用板部４１の上辺から連続して上方に延びている引掛用板部４２とを有しており、それら板部４１，４２は厚紙や板紙などからなる１枚の紙材がカットされることで形成されている。引掛用板部４２にはその裏表方向に貫通する貫通孔としての引掛孔４３が形成されており、引掛孔４３にはフック等の引掛具を引っ掛けることが可能となっている。引掛用板部４２は例えば半円状とされており、円周部分が上端を形成している。引掛用板部４２は表示用板部４１に比べて幅寸法が小さくされており、その寸法差により表示札４０の周縁部において引掛用板部４２と表示用板部４１との境界には段差部分が存在している。
【００２８】
球根情報は表示用板部４１の表裏両面のうち表側面４１ａに表示されている。球根情報には、球根１１の成長後の写真や絵、名称、生育の最適時期の情報、生育期間の情報などが含まれている。また、表示用板部４１の裏側面４１ｂには、球根１１の製造販売者に関する情報、球根包装体１０や表示札４０の製造販売者に関する情報などが記載されている。ここでは、表示用板部４１の表側面４１ａが表示面に相当する。なお、球根情報は表示用板部４１の裏側面４１ｂに記載されていてもよい。
【００２９】
第２シート部２２の外側面には第２粘着部４５が設けられており、表示札４０は第２粘着部４５により第２シート部２２に貼付されている。第２粘着部４５は、エマルジョン系接着剤やホットメルト接着剤などの接着剤が第２シート部２２に塗布されることにより形成された粘着層であり、第２シート部２２と表示札４０とを接着している。この場合、第２粘着部４５は、第１粘着部３１とは袋部１５において反対側の面に設けられていることになる。つまり、表示札４０は、袋部１５においてフラップ部１６の自由端側が貼付されている面とは反対側を向いている面に貼付されていることになる。
【００３０】
表示札４０は、表示用板部４１が裏側面４１ｂを球根包装体１０側に向けた状態で第２粘着部４５に貼付されており、表示用板部４１の表側面４１ａは球根包装体１０とは反対側を向いている。引掛用板部４２は球根包装体１０よりも上方に突出した状態となっている。この場合、引掛用板部４２の引掛孔４３が球根包装体１０の袋部１５及びフラップ部１６のいずれとも重ならない。このため、店舗等において商品陳列棚の引掛具に引掛孔４３を引っ掛ける際に、引掛具が球根包装体１０に接触してその引掛孔４３に引掛具を挿通することができないという不都合を回避できる。また、表示札４０を球根包装体１０に貼付する作業者にとっては、表示札４０にある段差部分により表示用板部４１と引掛用板部４２との境界を視認しやすく、表示札４０を貼付する際に引掛用板部４２が球根包装体１０に重ならないようにすることが容易となる。つまり、引掛孔４３を球根包装体１０にて塞がないようにすることが容易となる。
【００３１】
第２粘着部４５は、第１粘着部３１とほぼ同じ大きさ及び形状とされており、袋部１５を挟んで第１粘着部３１とほぼ全体が重なっている。具体的には、第２粘着部４５は、第２シート部２２において開放端寄り（フラップ部１６寄り）に配置されており、開口部１９からの離間距離が第１粘着部３１とほぼ同じとされている。さらに、第２粘着部４５は、第２シート部２２の開放端に沿って連続的に延びており、その長さ寸法は第１粘着部３１と同様に開口部１９の幅寸法とほぼ同じとされている。
【００３２】
次に、球根１１を球根包装体１０により包装する際の作業手順について図３を参照しつつ説明する。図３は、球根１１を包装する際の作業手順について説明するための説明図である。なお、図３においては理解を容易なものとするために、粘着部３１，４５、離型紙５１を大きく図示している。
【００３３】
図３（ａ）に示すように、球根１１が入れられる前の球根包装体１０においては、フラップ部１６の自由端側が第１粘着部３１に貼付されており、袋部１５がフラップ部１６により閉鎖された状態とされている。この場合、第１粘着部３１にゴミ等が付着することがフラップ部１６により防止されている。
【００３４】
また、袋部１５の第２粘着部４５には離型紙５１が貼付されている。離型紙５１は第２粘着部４５とほぼ同じ大きさ及び形状とされており、第２粘着部４５の粘着面全体を覆っている。これにより、第２粘着部４５にゴミなどが付着することが防止されている。なお、離型紙５１とは別の離型紙が第１粘着部３１に貼付されていてもよい。この場合、第１粘着部３１にフラップ部１６の自由端側が貼付されていなくても、第１粘着部３１へのゴミなどの付着を防止できる。
【００３５】
まず、図３（ｂ）に示すように、フラップ部１６の自由端側を第１粘着部３１から剥がして袋部１５の開口部１９を開放させ、図３（ｃ）に示すように、袋部１５の開口部１９から内部空間１８に球根１１を入れる。そして、図３（ｄ）に示すように、フラップ部１６の自由端側を第１粘着部３１に貼付し、袋部１５の開口部１９を閉鎖する。この場合、フラップ部１６を第１粘着部３１に確実に接着させるために袋部１５の第１シート部２１とフラップ部１６の自由端側とを指等で挟んで押圧しようとすると、第２粘着部４５とフラップ部１６の自由端側とを袋部１５ごと指等で挟むことになる。ここでは、第２粘着部４５には離型紙５１が貼付されているため、指等に第２粘着部４５が意図せずに付着してしまうことがない。したがって、指等が第２粘着部４５に接触しないように、袋部１５を変形させて第１粘着部３１と第２粘着部４５との相対的な位置関係をずらすという必要がない。
【００３６】
次に、図３（ｅ）に示すように、第２粘着部４５から離型紙５１を剥がし取り、図３（ｆ）に示すように、第２粘着部４５に表示札４０を貼付する。この場合、表示札４０を第２粘着部４５に確実に接着させるために袋部１５の第２シート部２２と表示札４０とを指等で挟んで押圧しようとすると、フラップ部１６の自由端側と表示札４０とを袋部１５ごと指等で挟むことになる。ここでは、袋部１５を介して第１粘着部３１と第２粘着部４５とが重なっているため、第２粘着部４５に対する表示札４０の押圧だけでなく、第１粘着部３１に対するフラップ部１６の押圧を同時に行うことになる。つまり、袋部１５にフラップ部１６の自由端側を貼付させる作業と、袋部１５に表示札４０を貼付させる作業とをまとめて行うことができる。
【００３７】
以上詳述した本実施形態によれば、以下の優れた効果が得られる。
【００３８】
表示札４０が袋部１５の外周面に第２粘着部４５を介して貼付されている。この場合、例えば表示札４０がステープルにより袋部１５に取り付けられている構成とは異なり、表示札４０の取り付けに際してステープラーやステープルを使用する必要がないため、ステープラーの準備やステープルの補充を行う手間を省くことができる。これにより、球根包装体１０に表示札４０を取り付ける作業を行う作業者の負担を低減できる。
【００３９】
しかも、袋部１５において第１シート部２１の外側面に第１粘着部３１が設けられており、且つ第２シート部２２の外側面に第２粘着部４５が設けられている。この場合、表示札４０は、袋部１５の外周面においてフラップ部１６の自由端側が貼付される部分とは開口部１９を挟んで反対側に貼付されるため、表示札４０を袋部１５に貼付する作業を、フラップ部１６により袋部１５の開口部１９を閉鎖する作業と独立して行うことができる。つまり、表示札４０の取り付け作業と袋部１５の閉鎖作業とを異なるタイミングで別々に行うことができる。したがって、これら作業を例えばステープラーにより同時に行わなければならない構成に比べて、作業の容易化を図ることができる。
【００４０】
以上の結果、球根包装体１０への表示札４０の取り付け作業を行う作業者の負担低減を図りつつ、その取り付け作業を容易化することができる。
【００４１】
袋部１５の外周面においてフラップ部１６と表示札４０とは開口部１９を挟んで互いに反対を向く面に対して貼付されているため、それらフラップ部１６及び表示札４０のうち一方だけを袋部１５から剥がすことができる。このため、球根包装体１０により球根１１が包装され且つ球根包装体１０に表示札４０が貼付されている状態において、球根包装体１０から球根１１を再び取り出す作業と、表示札４０を球根包装体１０から再び剥がし取る作業とを別々に行うことができる。したがって、作業者にとって球根包装体１０を使い勝手の良いものとすることができる。
【００４２】
第２粘着部４５が袋部１５を挟んで第１粘着部３１と重なるように設けられている。この場合、フラップ部１６により閉鎖され且つ表示札４０が貼付された袋部１５について、フラップ部１６と表示札４０とを袋部１５ごと指等で挟むように押圧することにより、袋部１５へのフラップ部１６及び表示札４０の各接着を確実なものとする作業を同時に行うことができる。これにより、袋部１５を閉鎖する作業及び袋部１５に表示札４０を取り付ける作業の効率を高めることができる。
【００４３】
表示札４０は、引掛用板部４２が袋部１５及びフラップ部１６と重ならないように球根包装体１０に貼付されている。このため、例えば商品陳列棚の引掛具に引掛孔４３を引っ掛けることで球根包装体１０を陳列する場合に、引掛孔４３が球根包装体１０によって塞がれていて引掛孔４３に引掛具を挿通することができない又は挿通しにくいという不都合を回避できる。したがって、球根包装体１０を陳列するための引っ掛け作業を容易化することができる。
【００４４】
表示札４０の幅寸法が袋部１５の幅寸法とほぼ同じ大きさであるため、幅方向について袋部１５に対する表示札４０の位置合わせを容易に行うことができる。また、第２粘着部４５は袋部１５の開放端に沿って延びているため、袋部１５において表示札４０を貼付可能な範囲を極力広くすることができる。したがって、表示札４０の位置合わせが袋部１５に対して幅方向に多少ずれても表示札４０を第２粘着部４５を介して袋部１５に貼付することができる。
【００４５】
袋部１５の開口部１９寄りに第２粘着部４５が配置されているため、第２粘着部４５により表示札４０の上部を固定することができる。この場合、表示札４０の下部が固定されている構成とは異なり、表示札４０が球根情報の表示された表側面４１ａを下に向けて倒れることを抑制できる。これにより、球根包装体１０が例えば商品陳列棚の棚部に載置されていても、表示札４０を球根情報の表示面が消費者側を向くように状態保持することができる。
【００４６】
（他の実施形態）
本発明は上記実施形態の記載内容に限定されず、例えば次のように実施してもよい。
【００４７】
（１）第２粘着部４５は、袋部１５を挟んで第１粘着部３１と重ならない位置に設けられていてもよい。例えば、図４（ａ）に示すように、第２粘着部４５が第１粘着部３１よりも袋部１５の開放端寄りに配置されている構成とする。なお、図４（ａ）〜（ｃ）は、球根包装体１０を第２シート部２２側（第２粘着部４５側）から見た正面図であり、第１シート部２１は第２シート部２２の背面側に位置している。また、図４（ａ）〜（ｃ）においては理解を容易なものとするために、袋部１５に球根１１が入れられておらず、第２粘着部４５に表示札４０が貼付されておらず、フラップ部１６が第２シート部２２に対して折り返されていない状態の球根包装体１０を図示している。さらに、離型紙５１の図示を省略している。
【００４８】
図４（ａ）において二点鎖線にて示すように、袋部１５を閉鎖するべくフラップ部１６の自由端側が第１粘着部３１に貼付された状態では、第２シート部２２における第２粘着部４５よりも下方（袋部１５の開放端とは反対側）の部分とフラップ部１６の自由端側とを指等で挟むことができる。つまり、指等が第２粘着部４５に触れないように第１粘着部３１にフラップ部１６を押し付けてそれらを確実に接着させることができる。したがって、第２粘着部４５に離型紙５１が貼付されていなくても、袋部１５をフラップ部１６により閉鎖する際に指等に第２粘着部４５が意図せずに付着してしまうことを回避できる。
【００４９】
一方、表示札４０が第２粘着部４５に貼付された状態では、第１シート部２１における第１粘着部３１よりも上方（袋部１５の開放端側）の部分と表示札４０とを指等で挟むことができる。つまり、第１粘着部３１に触れないように第２粘着部４５に表示札４０を押し付けてそれらを確実に接着させることができる。したがって、第１粘着部３１にフラップ部１６の自由端側が貼付されていなくても、袋部１５に表示札４０を貼付する際に指等に第１粘着部３１が意図せずに付着してしまうことを回避できる。
【００５０】
以上の結果、作業者が袋部１５の閉鎖作業と表示札４０の取り付け作業とを異なるタイミングで別々に行う場合に、第１粘着部３１と第２粘着部４５とを同時に押圧することを避けるために袋部１５の内部空間１８に指等を差し入れるといった手間を省くことができる。したがって、袋部１５の閉鎖作業及び表示札４０の取り付け作業の作業性を向上させることができる。
【００５１】
（２）第２粘着部４５は、袋部１５の第２シート部２２のいずれかに設けられていればよい。例えば、図４（ｂ）に示すように、第２粘着部４５が第２シート部２２の開放端に沿って断続的に延びるように配置されている構成とする。この場合でも、第２粘着部４５に表示札４０を接着させることによりその表示札４０は第２シート部２２に貼付されることになる。また、図４（ｂ）においては、第１粘着部３１が第１シート部２１の開放端に沿って断続的に延びるように配置されており、第２粘着部４５は袋部１５を挟んで第１粘着部３１と重ならない位置に配置されている。この構成によれば、（１）と同様に、袋部１５の閉鎖作業及び表示札４０の取り付け作業の作業性を向上させることができる。
【００５２】
また、第２粘着部４５は第２シート部２２の開放端とは反対側の端部寄りに配置されていてもよく、袋部１５の開放方向に延びるように配置されていてもよい。
【００５３】
（３）第１粘着部３１はフラップ部１６に設けられていてもよい。例えば、図４（ｃ）に示すように、第１粘着部３１が、フラップ部１６において袋部１５の開口部１９を閉鎖した状態で第１シート部２１と対向する面に設けられている構成とする。この場合、粘着部３１，４５のうち第２粘着部４５だけが袋部１５に設けられているため、上記実施形態のように第１粘着部３１及び第２粘着部４５の両方が袋部１５に設けられている構成とは異なり、作業者が表示札４０を第２粘着部４５ではなく誤って第１粘着部３１に接着させてしまうことを回避できる。これにより、球根包装体１０への表示札４０の取り付け作業に際して取り付け間違いの発生を抑制できる。
【００５４】
（４）フラップ部１６は第２シート部２２と一枚のシート材により一体的に形成されていてもよい。また、袋部１５が閉鎖されている場合、フラップ部１６は第２シート部２２との境界部ではなく中間部分にて折り曲げられていてもよい。要は、フラップ部１６によって袋部１５の開口部１９が覆われていればよい。
【００５５】
（５）球根包装体１０において袋部１５は一組のシート部２１，２２を含んで構成されていればよい。例えば、袋部１５の側面が、第１シート部２１と第２シート部２２とそれらシート部２１，２２を接続する別のシート部とを含んで構成されていてもよく、第１シート部２１と第２シート部２２とが１枚のシート材により一体的に形成されていてもよく、袋部１５の底面が、第１シート部２１と第２シート部２２とを接続する底面部により形成されていてもよい。
【００５６】
（６）球根包装体１０において袋部１５及びフラップ部１６はシート材により形成されていなくてもよい。例えば網目状のネット材などにより形成されている構成とする。また、袋部１５及びフラップ部１６は不透明に形成されていてもよい。
【符号の説明】
【００５７】
１０…球根包装体、１１…球根、１５…袋部、１６…フラップ部、１８…内部空間、１９…開口部、２１…第１シート部、２２…第２シート部、３１…第１粘着部、４０…表示札、４１ａ…表示面としての表側面、４３…引掛孔、４５…第２粘着層。
【図１】
2012116545.tif 000003
【図２】
2012116545.tif 000004
【図３】
2012116545.tif 000005
【図４】
2012116545.tif 000006